(57)【要約】【課題】カバー部材を傷付けることなく装置カバーを操作性良く開閉することができるとともに、装置カバーとカバー部材間の隙間を均一に保って外観性を高めることができる画像形成装置を提供すること。【解決手段】装置本体２に設けられた回動支点を中心に回動して開閉される装置カバー５と、該装置カバー５を開いたときに外観面となる２次外観カバー（カバー部材）６を装置本体２に設けて成るカラーレーザープリンタ（画像形成装置）１において、前記２次外観カバー６の前記装置カバー５と対向する面の一部に突起６ａを突設する。又、前記突起６ａを前記装置カバー５の回動支点を中心とする円弧状とする。更に、前記突起６ａの高さを前記装置カバー５の閉まり方向に高くする。【選択図】図５
2009169084.tif 000002
【特許請求の範囲】
【請求項１】
装置本体に設けられた回動支点を中心に回動して開閉される装置カバーと、該装置カバーを開いたときに外観面となるカバー部材を装置本体に設けて成る画像形成装置において、
前記カバー部材の前記装置カバーと対向する面の一部に突起を突設したことを特徴とする画像形成装置。
【請求項２】
前記突起を前記装置カバーの回動支点を中心とする円弧状としたことを特徴とする請求項１記載の画像形成装置。
【請求項３】
前記突起の高さを前記装置カバーの閉まり方向に高くしたことを特徴とする請求項１又は２記載の画像形成装置。
【発明の詳細な説明】
【技術分野】
【０００１】
本発明は、装置本体に設けられた回動支点を中心に回動して開閉される装置カバーと、該装置カバーを開いたときに外観面となるカバー部材を装置本体に設けて成る画像形成装置に関するものである。
【背景技術】
【０００２】
電子写真方式によって用紙に画像を形成する複写機やプリンタ等の画像形成装置には、装置本体に設けられた回動支点を中心に回動して開閉される装置カバーが設けられており、ジャム処理やトナー交換等の際には装置カバーが開けられる。この装置カバーのうち、装置本体の前面や天面全体を開閉するカバーには、機能上必要である場合の他、外観上のデザインや騒音低減等を目的として側面まで回り込んでカバーする回り込み部が設けられているものが多く見られる。
【０００３】
又、装置カバーを開けたときにユーザーが装置内部の高圧電源等に手を触れないよう、その部分を覆って保護するカバー部材が装置カバーの内側に設けられている。
【特許文献１】特開２００７−２８６１２７号公報
【特許文献２】特開２００７−２７９２２９号公報
【特許文献３】特開２００４−３６１４９５号公報
【発明の開示】
【発明が解決しようとする課題】
【０００４】
ところで、側面まで回り込んだ回り込み部を備えた装置カバーにおいては、回り込み部が内反りしている場合や該装置カバーを寄せながら或いはひねりながら閉めた場合等には、装置カバーの回り込み部がこれの内側に設けられたカバー部材に接触してカバー部材が傷付くとともに、接触抵抗によって装置カバーの開閉操作性が悪化するという問題があった。
【０００５】
又、装置カバーに内反り等の変形が生じている場合には、該装置カバーとカバー部材との隙間が不均一となり、外観上の美観を損ねるという問題があった。
【０００６】
本発明は上記問題に鑑みてなされたもので、その目的とする処は、カバー部材を傷付けることなく装置カバーを操作性良く開閉することができるとともに、装置カバーとカバー部材間の隙間を均一に保って外観性を高めることができる画像形成装置を提供することにある。
【課題を解決するための手段】
【０００７】
上記目的を達成するため、請求項１記載の発明は、装置本体に設けられた回動支点を中心に回動して開閉される装置カバーと、該装置カバーを開いたときに外観面となるカバー部材を装置本体に設けて成る画像形成装置において、前記カバー部材の前記装置カバーと対向する面の一部に突起を突設したことを特徴とする。
【０００８】
請求項２記載の発明は、請求項１記載の発明において、前記突起を前記装置カバーの回動支点を中心とする円弧状としたことを特徴とする。
【０００９】
請求項３記載の発明は、請求項１又は２記載の発明において、前記突起の高さを前記装置カバーの閉まり方向に高くしたことを特徴とする。
【発明の効果】
【００１０】
請求項１記載の発明によれば、カバー部材の装置カバーと対向する面の一部に突起を突設したため、ジャム処理やトナー交換等のために装置カバーを開閉する際に該装置カバーの内面がカバー部材の突起に接触して装置カバーの開閉をガイドする。このため、装置カバーが内反りしている場合や装置カバーを寄せながら或いはひねりながら閉めた場合等であっても、該装置カバーがこれの内側に設けられたカバー部材の突起以外の部分に接触してその部分を傷付けることがなく、大きな接触抵抗が発生することがないために装置カバーを小さな力でスムーズに開閉することができ、その開閉操作性が高められる。又、装置カバーに内反り等の変形が生じている場合であっても、その変形はカバー部材の突起との接触によって矯正されるため、該装置カバーとカバー部材との隙間が均一に保たれて外観性が高められる。
【００１１】
請求項２記載の発明によれば、突起を装置カバーの回動支点を中心とする円弧状としたため、装置カバーの開閉動作時にカバー部材の突起を該装置カバーに常に接触させることができ、該突起によって装置カバーの変形を矯正してカバー部材の傷付きを防ぐとともに、装置カバーの開閉操作性と外観性を高めることができる。
【００１２】
請求項３記載の発明によれば、突起の高さを装置カバーの閉まり方向に高くしたため、装置カバーが閉まり切った状態においても該装置カバーの内面にカバー部材の突起を接触させておくことができ、装置カバーと他の外装面との段差を矯正して外観性を高めることができる。又、装置カバーを開く力を一定ではなく開き方向に小さくすることができるため、該装置カバーの開閉操作性を更に高めることができる。
【発明を実施するための最良の形態】
【００１３】
以下に本発明の実施の形態を添付図面に基づいて説明する。
【００１４】
図１は本発明に係る画像形成装置の斜視図、図２は同画像形成装置の側面図、図３は同画像形成装置の装置カバーを開いた状態を示す部分側面図、図４は同側断面図、図５及び図６は同画像形成装置の装置カバーを開閉している状態を示す側面図、図７は同画像形成装置の部分斜視図である。
【００１５】
図１及び図２に示す画像形成装置１は、カラーレーザープリンタであって、矩形ボックス状の装置本体２を備えており、この装置本体２の内部には、図４に示すように、本体フレーム３に組み込まれた感光ドラム、帯電器、現像装置、転写装置、定着装置等の各種プロセス機器（何れも不図示）が内蔵されている。そして、装置本体２の前面には、装置本体の下部に設けられた回動支点（図４参照）４を中心として上下方向に回動して開閉される装置カバー（フロントカバー）５が設けられている。
【００１６】
又、装置本体２の前方上部には、図３〜図６に示すように、ユーザーが装置本体２内部の高圧電源等に誤って手を触れないための安全上の理由や美観向上のために２次外観カバー６が設けられている。
【００１７】
更に、前記装置カバー５の上部左右（図には一方のみ図示）には、カバー部材である２次外観カバー６や装置本体２の内部に対する目隠しや意匠上の理由から、該装置カバー５を図１及び図２に示すように閉じたときに装置本体２の左右の側面まで回り込む面積の大きな回り込み部５ａが一体に形成されている。
【００１８】
ここで、設計上は装置カバー５の回り込み部５ａと２次外観カバー６との間には所定の隙間が形成されており、装置カバー５を開閉しても両者はすれ違って互いに接触しない関係にあり、装置カバー５と２次外観カバー６が設計寸法通りに製作され、しかも、ユーザーが装置カバー６を回転方向（捩り方向）に力を加えることなく開閉すれば、該装置カバー５の回り込み部５ａと２次外観カバー６とは接触しない設計となっている。
【００１９】
しかしながら、実際には装置カバー５と２次外観カバー６には製作上の寸法公差が必要であり、この寸法公差を考慮して装置カバー５と２次外観カバー６との間に隙間を設けても、ユーザーが装置カバー５を左右にひねりながら閉めた場合には、該装置カバー５の回り込み部５ａが２次外観カバー６に接触して前記問題が発生する。
【００２０】
そこで、本実施の形態では、図３及び図５に示すように、２次外観カバー６の左右の装置カバー５の回り込み部５ａと対向する面の一部にリブ状の細い突起（図３及び図５には一方のみ図示）を突設している。この突起６ａは、装置カバー５の回動支点４（図４参照）を中心とする円弧状に形成されており、その幅は３ｍｍ以下（接触部分の傷が目立たない寸法）に設定されている。
【００２１】
而して、本実施の形態によれば、２次外観カバー６の左右の装置カバー５の回り込み部５ａと対向する面の一部に突起６ａを突設したため、ジャム処理やトナー交換等のために装置カバー５を図５及び図６に示すように開閉する際に該装置カバー５の回り込み部６ａ内面が２次外観カバー６の突起６ａに接触して装置カバー５の開閉をガイドする。このため、装置カバー５の回り込み部５ａが内反りしている場合や装置カバー５を寄せながら或いはひねりながら閉めた場合等であっても、該装置カバー５がこれの内側に設けられた２次外観カバー６の突起６ａ以外の意匠面に接触してその部分を傷付けることがない。又、２次外観カバー６に突設された突起６ａの幅は３ｍｍ以下と細いために大きな接触抵抗が発生することがなく、従って、装置カバー５を小さな力でスムーズに開閉することができ、その開閉操作性が高められる。
【００２２】
更に、装置カバー５の回り込み部５ａに内反り等の変形が生じている場合であっても、その変形は２次外観カバー６の突起６ａとの接触によって矯正されるため、該装置カバー５と２次外観カバー６との隙間が均一に保たれて外観性が高められる。
【００２３】
又、本実施の形態では、突起６ａを装置カバー５の回動支点４を中心とする円弧状としたため、装置カバー５の開閉動作時に２次外観カバー６の突起６ａを該装置カバー５の回り込み部５ａに常に接触させることができ、該突起６ａによって装置カバー５の回り込み部５ａの変形を矯正して２次外観カバー２の傷付きを防ぐとともに、装置カバー５の開閉操作性と外観性を高めることができる。
【００２４】
ところで、２次外観カバー６に突設される突起６ａの高さを装置カバー５の閉まり方向に次第に高くすれば、図１、図２及び図７に示すように装置カバー５が閉まり切った状態においても該装置カバー５の回り込み部５ａの内面に２次外観カバー６の突起６ａを接触させておくことができ、装置カバー５と他の外装面との段差を矯正して外観性を高めることができる。又、装置カバー５を開く力を一定ではなく開き方向に小さくすることができるため、該装置カバー５の開閉操作性が更に高められる。
【００２５】
尚、以上は本発明をカラーレーザープリンタに対して適用した形態について説明したが、本発明は、モノクロのプリンタの他、複写機やファクシミリ等の他の任意の画像形成装置に対しても同様に適用可能であることは勿論である。
【図面の簡単な説明】
【００２６】
【図１】本発明に係る画像形成装置の斜視図である。
【図２】本発明に係る画像形成装置の側面図である。
【図３】本発明に係る画像形成装置の装置カバーを開いた状態を示す部分側面図である。
【図４】本発明に係る画像形成装置の装置カバーを開いた状態を示す側断面図である。
【図５】本発明に係る画像形成装置の装置カバーを開閉している状態を示す側面図である。
【図６】本発明に係る画像形成装置の装置カバーを開閉している状態を示す側面図である。
【図７】本発明に係る画像形成装置の部分斜視図である。
【符号の説明】
【００２７】
１          カラーレーザープリンタ（画像形成装置）
２          装置本体
３          本体フレーム
４          装置カバーの回動支点
５          装置カバー
５ａ        装置カバーの回り込み部
６          ２次外観カバー（カバー部材）
６ａ        ２次外観カバーの突起
【図１】
2009169084.tif 000003
【図２】
2009169084.tif 000004
【図３】
2009169084.tif 000005
【図４】
2009169084.tif 000006
【図５】
2009169084.tif 000007
【図６】
2009169084.tif 000008
【図７】
2009169084.tif 000009